(57)【特許請求の範囲】
【請求項１】
便器本体の胴部周壁部の両側部を前方に張り出して柱状部を形成し、該柱状部の上端部にハンドサポート部を設けたことを特徴とする便器。
【請求項２】
該ハンドサポート部は上面は丸形である請求項１に記載の便器。
【請求項３】
該便器本体前面下部に足引きスペースが設けられている請求項１または２に記載の便器。
【発明の詳細な説明】
【０００１】
【産業上の利用分野】
本発明は特に病人や老人のような体力のない人でも楽に着座しかつ起立できる便器に関するものである。
【０００２】
【従来の技術】
例えば病人や老人等の体力のない使用者はベッド等から便器に移動したり、便座に着座および起立する場合、体重を手で支える必要がある。そこでトイレの壁に手すりを設けたり、図９に示すような手によって身体を支えるための張り出し部(51)を両側方に設けた補助便座(50)やあるいは図１１に示すような便器本体(2)の両側上部に把持部(61)を設けた携帯用便器(60)が提供されている。
【０００３】
【発明が解決しようとする課題】
しかし張り出し部(51)を両側方に設けた補助便座(50)を便器(52)の上面に着脱可能に設置した構成では、使用者は該張り出し部(51)に手をついて体重を支える。この時使用者は図１０に示すように両大腿部の外側方で該張り出し部(51)に手をつくため、斜め前方からの着座時および起立時に手に力を入れにくく支えにくいと云う問題点があった。
【０００４】
また便器本体(62)の両側上部に設けられた把持部(61)により体重を支えるには図１２に示すように腕を曲げた状態で体重を支えなければならず、腕に力を入れにくい。また病人や老人等の体力のない使用者がベッド等から便器に移動したり、便器からベッド等に移動したりする際該把持部(61)が邪魔になり、さらに持ち運びに不便となると云う問題点があった。
【０００５】
【課題を解決するための手段】
本発明は上記従来の課題を解決するための手段として、便器本体(2) の胴部周壁部(7) の両側部を前方に張り出して柱状部(8) を形成し、該柱状部(8) の上端部にハンドサポート部(12)を設けた便器(1) を提供するものである。
該ハンドサポート部(12)は上面は丸形であることが望ましく、該便器本体(2)前面下部に足引きスペース(10)が設けられていることが望ましい。
【０００６】
【作用】
使用者は着座あるいは起立する場合、該ハンドサポート部(12)を手で握ったり、手を添えたりして体を支える。該ハンドサポート部(12)は便器本体(2)の上面前端部両側に位置するので使用者が手で握ったり、手を添えたりした時自然に前傾し、そして手に力を入れ易いので楽に着座できかつ立ち上がれる。
【０００７】
さらに該ハンドサポート部(12)は便器本体(2) の胴部周壁部(7) の両側部を前方に張り出して柱状部(8) を形成し、該柱状部(8) の上端部に形成されているので、確実にしっかりハンドサポート部(12)を手で握ったり、手を添えたりすることができるから、手がはずれるということがなく安全である。したがって病人や体力のない使用者でも斜め前方からの着座起立が容易になる。またベッド等から便器に体をずらして移動する場合でも、該ハンドサポート部は干渉することがなく、持ち運びの際にも邪魔にならない。
【０００８】
該ハンドサポート部(12)の上面が丸形であると手で握ったり、手を添えたりし易い。また便器本体(2) 前面下方に足引きスペース(10)が設けられていると使用者は足を該足引きスペース(10)に入れることにより楽に前傾して立ち上がることができる。
【０００９】
【実施例】
本発明を一実施例によって説明すれば、図１に示す便器(1) はポリエチレン、ポリプロピレン、ポリスチレン、ポリ塩化ビニル等の硬質な合成樹脂系材料からなり、便器本体(2) と該便器本体(2) の上面部(5) に載置される便座(4) および便蓋(3) よりなる。
【００１０】
該便器本体(2) は中央に開口部(6) を有する卵形の上面部(5) と該上面部(5) の周縁から垂設される胴部周壁部(7) とからなり、該胴部周壁部(7) の前面(9) は図２に示すように外側に凸に弯曲され、両側部は前方に張り出されて柱状部(8) が形成されている。図３に示すように該柱状部(8) の上端部にはハンドサポート部(12)が形成されている。該ハンドサポート部(12)は図４に示すように前端に向かって丸みを帯びた形状に隆起して隆起部Ｅを形成するとともに、手にフィットし易いように裾部に向かってなだらかに傾斜している傾斜部Ｄが形成されている。
【００１１】
また該前面(9) 下部は切り欠かれて足引きスペース(10)が形成され、該便器本体(2) の上面部(5) の前端中央部には凹部(14)が形成されている。該胴部周壁部(7) の両側面部上端には直方体状の手掛け凹部(15)が設けられており、下縁には便器にかかる重量を支えるため膨出部(13)が形成されている。
【００１２】
便器本体(12)の後端には便蓋(3) がヒンジ部(11)を介して蝶着されている。
【００１３】
本実施例の便器(1) においては該胴部周壁部(7) の前面(9) は外側に凸に弯曲され両側が後方へ凹陥しているので使用者が着座したとき両足と該前面(9) は干渉することがなく楽な姿勢で座れる。また便器本体(2) の上面部(5) の前端中央部には凹部(14)が形成されているので、便蓋(3) や便座(4) を上に開くとき該凹部(14)が手がかりとなる。
【００１４】
使用者が立ち上がる時は、足引きスペース(10)に足下部を入れ、ハンドサポート部(12)を手で握ったり手を添えたりして立ち上がる。該ハンドサポート部(12)の上面は丸形であるので使用者は手で握り易く、裾部に向かってなだらかな傾斜部Ｄが形成されているので図５に示すように使用者の手掌部が該該傾斜部Ｄにちょうどフィットして手を添え易くかつグリップし易い。なお本実施例においてハンドサポート部(12)を手で握ったり、手を添えたりすることにはハンドサポート部(12)の傾斜部Ｄに手のひらを当て、隆起部Ｅを指で握ったり指を添えたりする場合の他、ハンドサポート部(12)の隆起部Ｅに手のひらを添え柱状部(8) 上端付近を指で握ったり指を添えたりすることを含む。
【００１５】
また該ハンドサポート部(12)は便器本体(2) の前方両側コーナーに張り出しているので使用者が座ったとき該ハンドサポート部(12)は大腿部側方の膝よりに位置し使用者が該ハンドサポート部(12)を手で握ったり、手を添えたりすると程良い前傾姿勢がとれる。そして図６に示すように該ハンドサポート部(12)を支点としてさらに前傾すれば使用者は無理なく腰を浮かせることができ、その際体重は便器本体(2) を下方に押す力Ｆとなり便器本体(2) も移動せずに安定し転倒の危険もない。
【００１６】
また該ハンドサポート部(12)は着座してからの体の位置の修正をしたり、排尿排便時の姿勢の維持にも役立つ。
【００１７】
さらに該ハンドサポート部(12)は柱状部(8) の上端に突設されているので体重を預けても変形を起こさない。したがって転倒の危険がなく使用者は安心して着座起立できる。
【００１８】
該ハンドサポート部(12)にはさらに図７に示すような滑り止めのいぼ状突起や網目状の溝等が施されてもよく、あるいはさらに痛みを和らげるために図８に示すようにクッション性材料からなる繊維シート等が貼着されてもよい。
【００１９】
本発明は本実施例に限定されるものではなく携帯用便器に限らず通常の便器にも適用可能である。
【００２０】
【発明の効果】
本発明の便器では例えば病人や老人であっても安全かつ楽に着座起立ができる。
【図面の簡単な説明】
図１〜図６は本発明の一実施例を示すものである。
【図１】  便蓋を開けた状態の斜視図
【図２】  便蓋を開けた状態の平面図
【図３】  便蓋を閉めた状態の正面図
【図４】  ハンドサポート部の斜視図
【図５】  ハンドサポート部に手を添えた状態の側面図
【図６】  使用者立上がり状態説明側面図
図７および８は本発明の他の実施例を示すものである。
【図７】  ハンドサポート部の斜視図
【図８】  ハンドサポート部の斜視図
図９および１０は従来例を示すものである。
【図９】  便器への取付け状態斜視図
【図１０】  使用状態説明斜視図
図１１および１２は他の従来例を示すものである。
【図１１】  斜視図
【図１２】  立上がり状態説明側面図平面図
【符号の説明】
1           便器
2           便器本体
10          足引きスペース
12          ハンドサポート部
【図１】
0004443000.tif 000002
【図２】
0004443000.tif 000003
【図３】
0004443000.tif 000004
【図４】
0004443000.tif 000005
【図５】
0004443000.tif 000006
【図６】
0004443000.tif 000007
【図７】
0004443000.tif 000008
【図８】
0004443000.tif 000009
【図９】
0004443000.tif 000010
【図１０】
0004443000.tif 000011
【図１１】
0004443000.tif 000012
【図１２】
0004443000.tif 000013